【手続補正書】
【提出日】平成17年5月19日(2005.5.19)
【手続補正１】
【補正対象書類名】明細書
【補正対象項目名】特許請求の範囲
【補正方法】変更
【補正の内容】
【特許請求の範囲】
【請求項１】
偏光光束を出射する照明装置と、
この照明装置からの偏光光束を変調する透過型液晶パネルと、
この透過型液晶パネルの出射面側に配置された偏光分離素子であって、入射面が光軸に対して略４５度傾斜した状態で配置され、前記透過型液晶パネルの透過光を２つの直交成分に分離して、一方の直線偏光を透過し、他方の直線偏光を反射する偏光分離素子と、
この偏光分離素子の出射面側又は反射面側に配置された出射側偏光板と、
この出射側偏光板を透過した光束をスクリーン上などに拡大投写する投写レンズと、を備えたプロジェクタにおいて、
前記照明装置と前記出射側偏光板との間に、前記偏光分離素子における光束の偏光軸の回転を補償する光学補償板をさらに備えたことを特徴とするプロジェクタ。
【請求項２】
偏光光束を出射する照明装置と、
この照明装置からの偏光光束を変調する透過型液晶パネルと、
この透過型液晶パネルの出射面側に配置された偏光分離素子であって、入射面が光軸に対して略４５度傾斜した状態で配置され、前記透過型液晶パネルの透過光を２つの直交成分に分離して、一方の直線偏光を透過し、他方の直線偏光を反射する偏光分離素子と、
前記偏光分離素子で分離された一方の出力光をスクリーン上などに拡大投写する投写レンズと、を備えたプロジェクタにおいて、
前記照明装置と前記偏光分離素子との間に、前記偏光分離素子における光束の偏光軸の回転を補償する光学補償板をさらに備えたことを特徴とするプロジェクタ。
【請求項３】
請求項１又は２に記載のプロジェクタにおいて、
前記光学補償板は、入射面が前記偏光分離素子の透過軸と反射軸とで構成される第１の平面に垂直な軸を回転軸として、光軸に対して所定角度傾斜した状態で配置された光学補償板であることを特徴とするプロジェクタ。
【請求項４】
請求項３に記載のプロジェクタにおいて、
前記光学補償板は、遅相軸が前記第１の平面に垂直な軸を回転軸として、光軸に対して前記所定角度傾斜している光学補償板であることを特徴とするプロジェクタ。
【請求項５】
請求項１又は２に記載のプロジェクタにおいて、
前記光学補償板は、前記透過型液晶パネルと平行に配置されるとともに、遅相軸が前記偏光分離素子の透過軸と反射軸とで構成される第１の平面に垂直な軸を回転軸として、光軸に対して所定角度傾斜している光学補償板であることを特徴とするプロジェクタ。
【請求項６】
請求項１乃至５のいずれかに記載のプロジェクタにおいて、
前記光学補償素子は、複屈折率フィルム、一軸性単結晶又は液晶フィルムであることを特徴とするプロジェクタ。
【請求項７】
請求項１乃至６のいずれかに記載のプロジェクタにおいて、
前記偏光分離素子は、その偏光分離面が誘電体多層膜又は回折格子により構成されてなることを特徴とするプロジェクタ。
【請求項８】
請求項１乃至７のいずれかに記載のプロジェクタにおいて、
前記偏光分離素子は、貼り合わせ面が偏光分離面になるように２枚の三角柱プリズムを貼り合わせて得られる直方体プリズムであって、その光軸方向に平行な辺の長さが光軸に直交する方向に平行ないずれの辺の長さより短い直方体プリズムであることを特徴とするプロジェクタ。
【請求項９】
請求項１乃至８のいずれかに記載のプロジェクタにおいて、
前記照明装置と前記透過型液晶パネルとの間に、入射側偏光板をさらに備えたことを特徴とするプロジェクタ。
【請求項１０】
偏光光束を出射する照明装置と、
この照明装置からの光をダイクロイックミラーの作用により複数の色光に分離する色分離装置と、
この色分離装置で分離された複数の色光をそれぞれ変調する複数の電気光学変調装置と、
前記電気光学変調装置で変調された色光を合成する色合成装置と、
この色合成装置で合成された光をスクリーン上などに投写する投写レンズと、を備えたプロジェクタにおいて、
前記照明装置と前記電気光学変調装置との間に、前記色分離装置における偏光光束の偏光軸の回転を補償する光学補償板をさらに備えたことを特徴とするプロジェクタ。
【請求項１１】
請求項１０に記載のプロジェクタにおいて、
前記光学補償素子は、前記色分離装置における前記照明装置に最も近い側に配置されたダイクロイックミラーと、前記電気光学変調装置との間に、各色光毎に配置されてなることを特徴とするプロジェクタ。
【請求項１２】
請求項１０又は１１に記載のプロジェクタにおいて、
前記光学補償板は、入射面が前記ダイクロイックミラーの透過軸と反射軸とで構成される第２の平面に垂直な軸を回転軸として、光軸に対して所定角度傾斜した状態で配置された光学補償板であることを特徴とするプロジェクタ。
【請求項１３】
請求項１２に記載のプロジェクタにおいて、
前記光学補償板は、遅相軸が前記第２の平面に垂直な軸を回転軸として、光軸に対して前記所定角度傾斜している光学補償板であることを特徴とするプロジェクタ。
【請求項１４】
請求項１０又は１１に記載のプロジェクタにおいて、
前記光学補償板は、前記光軸に対して垂直に配置されるとともに、遅相軸が前記ダイクロイックミラーの透過軸と反射軸とで構成される第２の平面に垂直な軸を回転軸として、光軸に対して所定角度傾斜している光学補償板であることを特徴とするプロジェクタ。
【手続補正２】
【補正対象書類名】明細書
【補正対象項目名】００２４
【補正方法】変更
【補正の内容】
【００２４】
（３）上記（１）又は（２）に記載のプロジェクタにおいては、
前記光学補償板は、入射面が前記偏光分離素子の透過軸と反射軸とで構成される第１の平面に垂直な軸を回転軸として、光軸に対して所定角度傾斜した状態で配置された光学補償板であることが好ましい。
【手続補正３】
【補正対象書類名】明細書
【補正対象項目名】００２８
【補正方法】変更
【補正の内容】
【００２８】
（５）上記（１）又は２に記載のプロジェクタにおいては、
前記光学補償板は、前記透過型液晶パネルと平行に配置されるとともに、遅相軸が前記偏光分離素子の透過軸と反射軸とで構成される第１の平面に垂直な軸を回転軸として、光軸に対して所定角度傾斜している光学補償板であることもできる。
【手続補正４】
【補正対象書類名】明細書
【補正対象項目名】００５２
【補正方法】変更
【補正の内容】
【００５２】
入射側偏光板３１０Ｇは、Ｓ偏光光束に含まれることがあるＰ偏光光束を吸収して偏光度を高める機能を有する。また、透過型液晶パネル３００Ｇは、画像信号に応じて、このＳ偏光光束を変調し、Ｓ偏光光束とＰ偏光光束とを含む光束に変換する機能を有する。また、偏光分離素子３３０Ｇは、入射面が光軸に対して略４５度傾斜した状態で配置され、透過型液晶パネル３００Ｇの透過光を２つの直交成分に分離して、一方の直線偏光（Ｓ偏光光束）を透過し、他方の直線偏光（Ｐ偏光光束）を反射する機能を有する。また、出射側偏光板３２０Ｇは、偏光分離素子３３０Ｇの出射面側に配置され、偏光分離素子で完全には反射できずに透過されたＰ偏光光束を吸収し、スクリ−ン上などに投写される画像のコントラストを高める機能を有する。投写レンズ５００は、出射側偏光板３２０Ｇを透過した出力光をスクリーンなどに拡大投写する機能を有する。
【手続補正５】
【補正対象書類名】明細書
【補正対象項目名】００６８
【補正方法】変更
【補正の内容】
【００６８】
（実施形態２）
図９は、本発明の実施形態２に係るプロジェクタ２０の光学系を示す図であり、（ａ）は図中のｙｚ平面における断面図であり（ｂ）は図中のｘｚ平面に面における断面図である。実施形態２に係るプロジェクタ２０が実施形態１に係るプロジェクタ１０と異なるのは、光学補償板の構造である。実施形態２に係る光学補償板３４２Ｇは、図９に示されるように、透過型液晶パネル３００Ｇと平行に配置されるとともに、遅相軸ｄが偏光分離素子３３０Ｇの透過軸と反射軸とで構成される平面（ｙｚ平面）に垂直な軸を回転軸にして、光軸に対して所定角度傾斜している光学補償板である。このように構成することによっても、この光学補償板３４２Ｇは、偏光分離素子３３０Ｇにおける偏光光束の偏光軸の回転を補償することができる。光学補償素子３４２Ｇとしては、ＴＡＣフィルム上に液晶を配向させた液晶フィルムなどを好適に用いることができる。